(57)【要約】【課題】直射日光が後ろ首周辺に当たるのを遮るために帽子に吊り下げて用いる遮光具を提供する。【解決手段】下部にスベリ９を備えると共に後部のクラウン１６の下部１６ｂを切り欠いた後切欠部１０の中に頭廻り調節ベルト１１を備えた帽子を装着対象とし、少なくとも後頭部、首後部及び両耳を被覆可能な縦横幅を有する布状の遮光体１の上部中央に、帽子の後切欠部１０よりも幅が広く且つ前記スベリ９の幅より深く切り欠いた切欠部２を設け、前記スベリ９と同程度の幅を有し該スベリ９の内側に差し込み可能に形成された可撓性を有する帯状の掛止板３、４を該スベリ９の湾曲形状に沿うように形成すると共に前記遮光体１の前記切欠部２を避けた左右の両側の上部辺縁部に縫着したことを特徴とする。【選択図】  図１
0003190468.tif 000002
【実用新案登録請求の範囲】
【請求項１】
下部にスベリを備えると共に後部のクラウン下部を切り欠いた後切欠部の中に頭廻り調節ベルトを備えた帽子を装着対象とし、
少なくとも後頭部、首後部及び両耳を被覆可能な縦横幅を有する布状の遮光体の上部中央に、前記後切欠部よりも幅が広く且つ前記スベリの幅より深く切り欠いた切欠部を設け、
前記スベリと同程度の幅を有し該スベリの内側に差し込み可能に形成された可撓性を有する帯状の掛止板を該スベリの湾曲形状に沿うように形成すると共に前記遮光体の前記切欠部を避けた左右の両側の上部辺縁部に縫着したことを特徴とする帽子用遮光具。
【請求項２】
掛止板の下部中央部分を、上部中央部分が復元可能な強度を有する幅に残して切欠したことを特徴とする請求項１に記載の帽子用遮光具。
【請求項３】
遮光体の上部を、吸収性を有する布で形成したことを特徴とする請求項１又は２に記載の帽子用遮光具。
【請求項４】
遮光体の左右の下部を、頬及び口を遮蔽可能となる縦横幅に形成し、その遮蔽部の左右対向部位に端部を接続可能とする止め具を設けたことを特徴とする請求項１から３のうちいずれかに記載の帽子用遮光具。
【考案の詳細な説明】
【技術分野】
【０００１】
本考案は、直射日光が首に当たるのを遮るために帽子に吊り下げて用いる遮光具に関する。
【背景技術】
【０００２】
真夏の室外での作業は、帽子を被っていても首に直射日光が当たって皮膚の炎症や熱射病を引き起こすことがあるが、これを防ぐために例えば、下記特許文献１の如き帽子に被着する「日除け」の提案がなされている。
又、下記特許文献２には日除け布を耳まで覆うものが提案され、下記特許文献３には布で頬や口まで覆うものが提案されている。
【先行技術文献】
【特許文献】
【０００３】
【特許文献１】特開２０００−１２９５２３号公報
【特許文献２】実用新案登録第３１１４５０４号公報
【特許文献３】特開２０１０−１７４４０２号公報
【考案の概要】
【考案が解決しようとする課題】
【０００４】
キャップ型の帽子は頭のサイズに対応可能とするため後部に切欠部を設け、帯で調節するタイプの帽子が多く用いられているが、このタイプの帽子では上記特許文献１の発明では装着できない。
なお、特許文献１の発明では布は耳まで覆われず顔側の日除けが充分ではないが、上記特許文献２には、布を耳まで覆うものが提案されている。
一方、上記特許文献３には布を顔の前側まで覆うことができるものも記載されている。
しかし、これらはいずれも上記の後部に切欠部のある帽子には着脱することができないという問題を解消できない。
【０００５】
そこで本考案者は上記実情に鑑み、後部に切欠部があるタイプの帽子に確実且つ容易に着脱可能となる帽子用遮光具を提供しようとするものである。
【課題を解決するための手段】
【０００６】
上記課題を解決するために、本考案の帽子用遮光具における請求項１に記載の考案は、下部にスベリを備えると共に後部のクラウン下部を切り欠いた後切欠部の中に頭廻り調節ベルトを備えた帽子を装着対象とする。
そして、少なくとも後頭部、首後部及び両耳を被覆可能な縦横幅を有する布状の遮光体の上部中央に、前記後切欠部よりも幅が広く且つ前記スベリの幅より深く切り欠いた切欠部を設け、前記スベリと同程度の幅を有し該スベリの内側に差し込み可能に形成された可撓性を有する帯状の掛止板を該スベリの湾曲形状に沿うように形成すると共に前記遮光体の前記切欠部を避けた左右の両側の上部辺縁部に縫着したことを特徴とする。
【０００７】
請求項２に記載の考案は、上記考案において、前記掛止板の下部中央部分を、上部中央部分が復元可能な強度を有する幅に残して切欠したことを特徴とする。
【０００８】
請求項３に記載の考案は、上記考案において、前記遮光体の上部を、吸収性を有する布で形成したことを特徴とする。
【０００９】
請求項４に記載の考案は、上記考案において、前記遮光体の左右の下部を、頬及び口を遮蔽可能となる縦横幅に形成し、その遮蔽部の左右対向部位に端部を接続可能とする止め具を設けたことを特徴とする。
【考案の効果】
【００１０】
本考案は帽子のスベリに装着して使用するものであり、その装着はスベリを捲ってサイドクラウンの下端部との間に掛止板を置き、スベリを上に戻して掛止板を挟む。
この状態で頭部に帽子を被ると、掛止板が外側はサイドクラウン内面に、内側はスベリ部分に挟まれて遮光体が垂れ下がる。この際、掛止板が接するスベリ部分がその内側から前記遮光体を介して頭部から押圧され引抜不能にロックされる。この結果、前記遮光体を強く下に引いても遮光体が帽子から離れなくなる。
【００１１】
そして、従来の帽子用の遮光具ではキャップ型で後切欠部のある帽子には使用することができなかったが、本考案ではそのような後切欠部を有する帽子に装着の際に、中央に設けた切欠部が帽子の後切欠部を避けるので、前記掛止板が帽子のスベリに装着可能となり、そのようなスベリがある帽子であれば、既に使用されている帽子等どのような帽子でも簡単に装着可能となる。
又、前記掛止板が帽子のスベリの湾曲形状に沿った湾曲形状となっているので、本考案を装着して帽子を被ったとき、スベリの存在を感じる感覚と同様に違和感なく頭部に帽子を装着することが可能となる。
【００１２】
請求項２に記載の考案においては、各掛止板の中央に板面切欠部が形成されているので、一方の幅広部分がスベリに差し込み易くなり、スベリを大きく捲ることなく容易に帽子に装着可能となる。
【００１３】
請求項３に記載の考案においては、真夏の暑い季節に使用したとき、遮光体の上部で頭部に発生した汗が吸水性布に吸収されて肌に垂れ落ちるのが防止される。更に、布に吸収された汗は気化熱を奪って蒸発し首筋を涼しくさせる。
【００１４】
請求項４に記載の考案においては、頬と口部分も含めて遮光体で広く覆うことが可能となり、顔面の大部分の日焼け防止が可能となる。
【図面の簡単な説明】
【００１５】
【図１】本考案の使用状態を示す斜視図である。
【図２】（イ）は帽子に装着前の状態を示し、（ロ）は帽子に装着後の状態を示す要部の各縦断斜視図である。
【図３】図１の形態の平面図である
【図４】掛止板に板面切欠部を設けた形態の平面図である。
【図５】掛止板をスベリの湾曲形状に沿うように形成した形態の平面図である。
【図６】遮光体の上部を吸収性のある布で形成した形態の平面図である。
【図７】際に頬及び口を遮蔽可能に形成した形態の平面図である。
【考案を実施するための形態】
【００１６】
本考案を説明する前に本考案の使用対象である帽子について説明する。
帽子は頭部を覆う部分（クラウンと呼ばれる）の下部の前側のみにツバを設けたキャップ型の帽子と下部全周囲にツバを設けたハット型の帽子等がある
前記キャップ型の帽子は、一般的には、図１に示すように、クラウン１６をドーム型とし、サイドクラウン１６ｂの前側の下端辺縁にはマチ１３部分でツバ１２が固着され、後ろ側のサイドクラウン１６ｂの後部に後切欠部１０が形成されて該後切欠部１０の両側から内側ベルト１１ａと外側ベルト１１ｂとで長さを調節可能とする頭廻り調節ベルト１１が設けられている。
そして、前記内側ベルト１１ａと外側ベルト１１ｂとを使用する人の頭廻りサイズに合う長さに調節して使用される。
【００１７】
前記内側ベルト１１ａと外側ベルト１１ｂとを適宜長さに止める手段としては、両側に設けた面ファスナーで長さを自由に調節できるようにしたものや、一方にはベルトの長さ方向に数段に調節孔が設け、他方には該調節孔に嵌合する突起を設け該調節孔の位置を選んで段階的に長さを調節できるようにしたもの等がある。
そして、長い髪の女性が使用する際には前記頭廻り調節ベルト１１の上の後切欠部１０から束ねた髪を突出させることが行われている。
【００１８】
更にサイドクラウン１６ｂの後切欠部１０を除くクラウン内側の下端辺縁に１５ｍｍ〜２０ｍｍ幅の帯状のスベリ９（「ビン革」とも呼ばれる）が設けられている。
該スベリ９は頭部から滴る汗を吸い取って顔面に垂れないようにし、又帽子８を被る際に円滑に頭部に装着されるために設けられている。
そして、通常該スベリ９はクラウン下端辺縁の内側に下端辺縁９ｂが縫い付けられ、その縫付部１４と反対側の上端辺９ａが上方に開き、該上端辺９ａが下方へ自由に捲れるように設けられている。
以上が本考案の装着される対象となる帽子の詳細である。
【００１９】
本考案の帽子用遮光具は、主としてこのようなキャップ型の帽子８のスベリ９部分に挟んで使用するものであり、該帽子８への使用を例に以下図を基に説明する。
【００２０】
該帽子用遮光具は、図３に示すように、薄い布状の遮光体１の上部中央に中央切欠部２を設けると共に該中央切欠部２を避けた上部辺縁部の両側に掛止板３、４を設け、該掛止板３、４を前記帽子８のスベリ９部分に掛けて前記帽子８に装着する。
【００２１】
前記遮光体１は遮光性を備えた状物を用い、前記帽子８に装着した際、図１に示すように、後頭部、首筋後部及び耳部分を被覆可能な縦横幅を有するサイズとする。
その形状は左右対称とし、上部中央の中央切欠部２は帽子８の後切欠部１０の幅に合わせて形成し全体は丸みを帯びた四角形とする。
通常、帽子８の後切欠部１０は深さが５ｃｍ程度であり、幅は１０ｃｍ程度である。
従って、前記遮光体１の中央切欠部２のサイズは、幅を１０ｃｍより少し大きい程度とする。
材質は、薄い織布、不織布、シート状物の使用が可能であり、ナイロン等の合成繊維製、木綿等の天然繊維製の紫外線吸収機能、紫外線遮断機能、表面反射機能等の遮光機能がある布が好ましく、又繊維の隙間からの通風性が得られるものはより好ましい。
【００２２】
又、前記遮光体１の上部辺縁部に、図３に示すように、左右の掛止板３、４を設ける。
該左右の掛止板３、４は、図１に示すように、前記帽子８の後切欠部１０の両脇の縫い際Ａから上部辺縁部に沿ってツバ１２の基端部の縫い際Ｂに到る長さとする。そして、上端部３ｂ、４ｂから下端部３ａ、４ａまでの幅は１５ｍｍ程度と、帽子８のスベリ９に幅に合わせて細長く帯状に形成する。
前記左の掛止板３と右の掛止板４との後切欠部１０寄りの間隔は、少なくとも帽子８の後切欠部１０の幅よりは広くする。この幅が狭い場合には帽子８の後切欠部１０の両脇の縫い際Ａに掛止板３、４の内側が当たって掛止板４がスベリ９内に落とし込めなくなるため装着できなくなる。
【００２３】
又、前記掛止板３、４の材質は、図２に示すように、前記遮光体１の上部辺縁部に縫着するためその縫合用の針が貫通し易い１ｍｍ程度の厚さで、且つ帽子を頭部に被ったとき頭部の形状に応じて湾曲するように可撓性を有する合成樹脂製のものを用いる。
【００２４】
そして、前記左右の掛止板３、４と前記遮光体１とは、図２に示すように、前記遮光体１の表面と掛止板３、４の裏面が重なり合うように前記遮光体１の上部辺縁部に対して前記左右の掛止板３、４の上端部３ｂ、４ｂを糸で縫って取り付ける。その際に、その縫付部５には細いれ切端隠し布１７を同時に縫い付けて布状の遮光体１端部の糸の解れ止めを施す。
【００２５】
次に本考案の使用方法を説明する。
図２の（イ）は帽子８から本考案の帽子用遮光具を外してある状態を示す。この状態から先ず、帽子８を逆さにしてスベリ９を捲って開き、サイドクラウン１６ｂの左右の下端部に左右の掛止板３、４をそれぞれ置いて前記スベリ９を上に戻し、サイドクラウン１６ｂの下端部とスベリ９との間に前記掛止板３、４を挟む。
そして、挟んだ掛止板３、４の上から前記スベリ９部分を指で押えて頭部に帽子を被る。
この際、図２の（ロ）に示すように、掛止板３、４が外側はサイドクラウン１６ｂの下端部に、内側はスベリ９部分に挟まれ、更に内側からは前記遮光体１を介して前記スベリ９部分が頭側部Ｆによって押さ付けられる。この結果、頭部からの押圧で前記掛止板３、４がスベリ９よって引抜不能にロックされ、遮光体を強く下に引いても遮光体が帽子から抜けなくなる。
【００２６】
図２では前記遮光体１の表面と掛止板３、４の裏面が重なり合うように前記遮光体１の上部辺縁部に対して前記左右の掛止板３、４の上端部３ｂ、４ｂが縫い付けられた形態を示したが、重ね合わせることなく単に前記遮光体１の上部辺縁部に対して前記左右の掛止板３、４の下端部３ａ、４ａを縫着した場合には、サイドクラウン１６ｂの下端部とスベリ９部分との間に差し込んだとき、折り曲げた遮光体１が縫着部に重なり合い、その分縫着部が厚くなってしまって被った帽子に違和感を与えることとなるので好ましくない。
【００２７】
又、前記掛止板３、４の形状は、図４に示すように、前記掛止板３、４の下部中央部分を、該掛止板３、４の上部中央部分が復元可能となる強度を有する幅を残して板面切欠部６を形成する。
この形態では、板面切欠部６により各掛止板３、４の一方の幅広部分がスベリ９に差し込み易くなり、前記スベリ９を大きく捲ることなく容易に帽子に装着可能となる。
【００２８】
又、前記掛止板３、４は、図５に示すように、帽子８のサイドクラウン１６ｂ下部の湾曲形状即ちスベリ９の湾曲形状に沿った湾曲状に形成する。
この湾曲形状は、帽子８のクラウン１６部分がドーム型をしているのでサイドクラウン１６ｂも平面に展開きさせると、図５に示すように、トップクラウンに近い延長線の頂点ａを中心とした扇型の掛止板形成角度θとした等距離線ｂに沿うように円弧状に湾曲したスベリ９と同じ形状となる。
このような帽子８のスベリ９の湾曲形状に掛止板３、４を湾曲に形成することで前記掛止板３、４がスベリ９に重なり合うように正確に納まるようになる。
このため頭部に帽子を被ったときに本考案を装着していても違和感を生じなくなる。
【００２９】
又、前記遮光体１の上部を吸水性布で形成することが可能である。
この形態の場合、吸水性布を前記掛止板３、４と重なる部分だけを細く形成したり、図６に示すように、それより下の途中まで形成したり、又は遮光体１の全部を形成することが可能である。
該吸水性布により頭部に発生した汗を吸収し、汗が首筋に垂れ落ちるのを防止し、その汗の気
化熱で温度を奪うことで首筋を涼しくすることが可能となる。
なお、前記遮光体１に吸水性布を使用せずとも、夏場などには前記遮光体１を水に浸して着用すれば水が気化熱を奪い冷却されるので冷却効果を発揮させることも可能である。
【００３０】
又、図７に示すように、前記遮光体１の左右の下部を、帽子８に装着した際に頬及び口を遮蔽可能となる広さに形成し、その遮蔽部１ａ、１ｂの左右対向部位に端部を接続可能とする止め具を設けることができる。この止め具としては図７では面ファスナー１５ａ、１５ｂを用いた態様を示したが、ボタンやフックを用いても良い。
この形態では、帽子８に装着した際に前記止め具で両端部を繋げば、頬及び口の周囲まで遮光体１に覆われて顔面の大部分の日焼け防止が可能となる。
【産業上の利用可能性】
【００３１】
本考案の帽子用遮光具は主としてキャップ型帽子に用いるものであるが、ハット型の帽子などスベリの付いた帽子であればその他の帽子にも広く利用することが可能である。
【符号の説明】
【００３２】
１  遮光体
１ａ、１ｂ  遮蔽部
２  切欠部
３  左側の掛止板
３ａ  掛止板の下端部
３ｂ  掛止板の上端部
４  右側の掛止板
４ａ  掛止板の下端部
４ｂ  掛止板の上端部
５  縫付部
６  板面切欠部
７  吸水性布
８  帽子
９  スベリ
９ａ  スベリの上端縁部
９ｂ  スベリの下端部
１０  帽子の後切欠部
１１  頭廻り調節ベルト
１１ａ  内側ベルト
１１ｂ  外側ベルト
１２  ツバ
１３  マチ
１４  縫付部
１５ａ  面ファスナー
１５ｂ  面ファスナー
１６  クラウン
１６ａ  トップクラウン
１６ｂ  サイドクラウン
１７  端部隠し布
Ａ  後切欠部の縫い際
Ｂ  ツバの縫い際
Ｆ  頭側部
ａ  帽子のセンター
ｂ  センターからの等距離線
θ  掛止板形成角度
【図１】
0003190468.tif 000003
【図２】
0003190468.tif 000004
【図３】
0003190468.tif 000005
【図４】
0003190468.tif 000006
【図５】
0003190468.tif 000007
【図６】
0003190468.tif 000008
【図７】
0003190468.tif 000009
【手続補正書】
【提出日】平成26年2月25日(2014.2.25)
【手続補正１】
【補正対象書類名】実用新案登録請求の範囲
【補正対象項目名】請求項３
【補正方法】変更
【補正の内容】
【請求項３】
遮光体の上部を、吸水性を有する布で形成したことを特徴とする請求項１又は２に記載の帽子用遮光具。
【手続補正２】
【補正対象書類名】明細書
【補正対象項目名】０００８
【補正方法】変更
【補正の内容】
【０００８】
請求項３に記載の考案は、上記考案において、前記遮光体の上部を、吸水性を有する布で形成したことを特徴とする。